(57)【特許請求の範囲】
【請求項１】
操作対象装置の種別に応じて異なるリモコンモードが設定されており、赤外線通信リンクを介して操作対象装置へ操作信号を送信することができる第１の遠隔操作装置及び第２の遠隔操作装置を有するシステムにおける遠隔操作方法において、
第１の遠隔操作装置が、赤外線通信リンクを介して前記操作対象装置へ前記操作信号を送信することによって、当該操作対象装置を制御する第１のステップと、
第２の遠隔操作装置が、前記リモコンモードを問い合わせるモード要求メッセージを、近距離無線通信リンクを介して当該遠隔操作装置の周辺へ送信する第２のステップと、
前記モード要求メッセージを受信した第１の遠隔操作装置が、前記リモコンモードを含むモード応答メッセージを、前記近距離無線通信リンクを介して第２の遠隔操作装置へ返信する第３のステップと、
第２の遠隔操作装置が、受信した前記モード応答メッセージに含まれる前記リモコンモードを記憶する第４のステップと、
第２の遠隔操作装置が、赤外線通信リンクを介して前記操作対象装置へ前記操作信号を送信することによって、当該操作対象装置を制御する第５のステップと
を有することを特徴とする遠隔操作方法。
【請求項２】
少なくとも第２の遠隔操作装置は、携帯電話機であって、単位時間当たりの移動距離を導出する加速度センサを更に有し、
第２のステップついて、第２の遠隔操作装置は、前記加速度センサによって所定閾値以上の移動が検出された際に、前記モード要求メッセージを送信する
ことを特徴とする請求項１に記載の遠隔操作方法。
【請求項３】
操作対象装置の種別に応じて異なるリモコンモードが設定されており、赤外線通信リンクを介して操作対象装置へ操作信号を送信することができる第１の遠隔操作装置及び第２の遠隔操作装置を有するシステムにおいて、
第１の遠隔操作装置は、
赤外線通信リンクを介して前記操作対象装置へ前記操作信号を送信することによって、当該操作対象装置を制御するリモコンモード制御手段と、
前記モード要求メッセージを受信した際に、前記リモコンモードを含むモード応答メッセージを、近距離無線通信リンクを介して第２の遠隔操作装置へ返信するモード応答送信手段と
を有し、
第２の遠隔操作装置は、
赤外線通信リンクを介して前記操作対象装置へ前記操作信号を送信することによって、当該操作対象装置を制御するリモコンモード制御手段と、
前記リモコンモードを問い合わせるモード要求メッセージを、近距離無線通信リンクを介して当該遠隔操作装置の周辺へ送信するモード要求メッセージ送信手段と、
受信した前記モード応答メッセージに含まれる前記リモコンモードを記憶するリモコンモード記憶手段と
を有することを特徴とするシステム。
【請求項４】
少なくとも第２の遠隔操作装置は、携帯電話機であって、単位時間当たりの移動距離を導出する加速度センサを更に有し、
第２の遠隔操作装置のモード要求メッセージ送信手段は、前記加速度センサによって所定閾値以上の移動が検出された際に、前記モード要求メッセージを送信する
ことを特徴とする請求項３に記載のシステム。
【請求項５】
操作対象装置の種別に応じて異なるリモコンモードが設定されており、赤外線通信リンクを介して操作対象装置へ操作信号を送信することができる遠隔操作装置において、
赤外線通信リンクを介して、前記操作対象装置へ、当該リモコンモードに応じた操作信号を送信するリモコンモード制御手段と、
近距離無線通信リンクを介して、前記リモコンモードを問い合わせるモード要求メッセージを、当該遠隔操作装置の周辺へ送信するモード要求メッセージ送信手段と、
前記モード要求メッセージを受信した際、前記近距離無線通信リンクを介して他方の遠隔操作装置へ、前記リモコンモードを含むモード応答メッセージを返信するモード応答メッセージ送信手段と、
受信した前記モード応答メッセージに含まれる前記リモコンモードを記憶するリモコンモード記憶手段と
を有することを特徴とする遠隔操作装置。
【請求項６】
当該遠隔操作装置は、携帯電話機であって、単位時間当たりの移動距離を導出する加速度センサを更に有し、
前記モード要求メッセージ送信手段は、前記加速度センサによって所定閾値以上の移動が検出された際に、前記モード要求メッセージを送信する
ことを特徴とする請求項５に記載の遠隔操作装置。
【請求項７】
操作対象装置の種別に応じて異なるリモコンモードが設定されており、赤外線通信リンクを介して操作対象装置へ操作信号を送信することができる遠隔操作装置に搭載されたコンピュータを機能させるプログラムであって、
赤外線通信リンクを介して、前記操作対象装置へ、当該リモコンモードに応じた操作信号を送信するリモコンモード制御手段と、
近距離無線通信リンクを介して、前記リモコンモードを問い合わせるモード要求メッセージを、当該遠隔操作装置の周辺へ送信するモード要求メッセージ送信手段と、
前記モード要求メッセージを受信した際、前記近距離無線通信リンクを介して他方の遠隔操作装置へ、前記リモコンモードを含むモード応答メッセージを返信するモード応答メッセージ送信手段と、
受信した前記モード応答メッセージに含まれる前記リモコンモードを記憶するリモコンモード記憶手段と
してコンピュータを機能させることを特徴とする遠隔操作装置用のプログラム。
【請求項８】
当該遠隔操作装置は、携帯電話機であって、単位時間当たりの移動距離を導出する加速度センサを更に有し、
前記モード要求メッセージ送信手段は、前記加速度センサによって所定閾値以上の移動が検出された際に、前記モード要求メッセージを送信する
ようにコンピュータを機能させることを特徴とする請求項７に記載のプログラム。
【発明の詳細な説明】
【技術分野】
【０００１】
本発明は、リモコン(remote controller)装置のような遠隔操作装置から、操作対象装置を操作する技術に関する。
【背景技術】
【０００２】
リモコン装置は、ＡＶ(Audio Visual)機器（例えばテレビ装置）や電化機器（例えば照明装置）を、離れた位置から操作することができる。リモコン装置は、一般的に無線タイプであって、特に赤外線方式又は電波方式が用いられる（その他、超音波方式や可視光方式もある）。例えば、テレビ装置を操作するリモコン装置は、一般に赤外線方式が用いられる。リモコン装置は赤外線発光部を有し、テレビ装置は赤外線受光部を有する。
【０００３】
赤外線は、約７５０〜１,０００ｎｍの間の波長を有する。自然から放射された赤外線と、リモコン装置から発光された赤外線とを区別するために、リモコン装置は、キャリア周波数で変調した赤外線を送信する。キャリア周波数は、一般に、３８〜４０ｋＨｚ程度である。
【０００４】
図１は、従来技術におけるシステム構成図である。
【０００５】
図１によれば、リモコン装置４が、赤外線操作信号を送信し、操作対象装置２を操作している。操作対象装置としてテレビ装置及び照明装置が表されている。
【０００６】
図１によれば、ユーザＡによって所持されたリモコン装置Ａは、Ｘ社製テレビ装置ａへ、例えばチャネル切り替え（又は電源オン／オフ）の赤外線操作信号を送信している。ここで、赤外線の仕様技術は、Ｘ社製のテレビ装置ａに対する「モード３」となっている。
【０００７】
同様に、ユーザＢによって所持されるリモコン装置Ｂも、テレビ装置ａへ、モード３の赤外線操作信号を送信している。ここで、ユーザＢは、Ｘ社製照明装置やＹ社製テレビ装置ｂを更に操作するために、別途、リモコン装置Ｂ及びＣを更に所持しなければならない。リモコン装置Ｃは、Ｘ社製照明装置２へ、例えば明るさの調整（又は電源オン／オフ）の赤外線操作信号を送信しており、その赤外線の仕様技術は「モード２」である。更に、リモコン装置Ｄは、Ｙ社製テレビ装置ｂへ、赤外線操作信号を送信しており、その赤外線の仕様技術は「モード６」である。
【０００８】
このように、ユーザＢは、操作対象装置のメーカ及び機種に応じて、異なるリモコン装置を所持しなければならない。即ち、操作対象装置毎に、異なる専用リモコンを用いて操作しなければならない。
【０００９】
これに対し、複数の操作対象装置を、１台のリモコン装置によって操作する技術もある。この技術によれば、リモコン装置は、操作対象装置に応じて複数のリモコンモードを予め記憶している。従って、ユーザは、リモコン装置に対して、操作すべき操作対象装置に応じたモードを選択する。ユーザにとっては、リモコンモードを選択する煩わしさがあると共に、操作可能な操作対象装置も限定される。
【００１０】
特許文献１に記載された技術によれば、ユーザは、予め記憶されている複数の種別データを順次更新しながら、その種別データに対応付けたリモコンコードを制御対象の機器へ送信し、制御対象の機器からその受信を表す発光状態を受信した際に、種別データを確定する。
【００１１】
特許文献２に記載された技術によれば、操作対象装置は、赤外線受信部だけでなく赤外線送信部を更に有し、携帯端末との間で赤外線を介して通信する。リモコン装置として機能している携帯端末は、機種毎のリモコンコードを用いて順次に応答要求を送信し、１つの応答信号を受信するまで待つ。これにより、携帯端末は、メーカ及び機種の情報を予め入力するような初期設定や、メニュー画面を変更することなく、対象機器を特定することができる。
【先行技術文献】
【特許文献】
【００１２】
【特許文献１】特開２００１−２１８２８５号公報
【特許文献２】特開２００４−２３５７２３号公報
【発明の概要】
【発明が解決しようとする課題】
【００１３】
しかしながら、特許文献１に記載された技術によれば、リモコン装置のリモコンモードが順次更新されていく間、ユーザは、リモコン装置を、操作対象装置へ向けたまま待機しなければならない。ユーザが、複数の操作対象装置に対して、リモコンモードを頻繁に変更したい場合に、操作性に問題が生じる。
【００１４】
特許文献２に記載された技術によれば、操作対象装置も、赤外線送信部を備える必要があり、開発コストがかかる。また、携帯端末は、リモコンモードを取得する際に、インターネットを介する必要があるために、インターネットへの接続環境も必要となる。
【００１５】
そこで、本発明は、その場所で使用可能な操作対象装置のリモコンモードを設定することができる遠隔操作方法、システム、遠隔操作装置及びプログラムを提供することを目的とする。
【課題を解決するための手段】
【００１６】
本発明によれば、操作対象装置の種別に応じて異なるリモコンモードが設定されており、赤外線通信リンクを介して操作対象装置へ操作信号を送信することができる第１の遠隔操作装置及び第２の遠隔操作装置を有するシステムにおける遠隔操作方法において、
第１の遠隔操作装置が、赤外線通信リンクを介して操作対象装置へ操作信号を送信することによって、当該操作対象装置を制御する第１のステップと、
第２の遠隔操作装置が、リモコンモードを問い合わせるモード要求メッセージを、近距離無線通信リンクを介して当該遠隔操作装置の周辺へ送信する第２のステップと、
モード要求メッセージを受信した第１の遠隔操作装置が、リモコンモードを含むモード応答メッセージを、近距離無線通信リンクを介して第２の遠隔操作装置へ返信する第３のステップと、
第２の遠隔操作装置が、受信したモード応答メッセージに含まれるリモコンモードを記憶する第４のステップと、
第２の遠隔操作装置が、赤外線通信リンクを介して操作対象装置へ操作信号を送信することによって、当該操作対象装置を制御する第５のステップと
を有することを特徴とする。
【００１７】
本発明の遠隔操作方法における他の実施形態によれば、
少なくとも第２の遠隔操作装置は、携帯電話機であって、単位時間当たりの移動距離を導出する加速度センサを更に有し、
第２のステップついて、第２の遠隔操作装置は、加速度センサによって所定閾値以上の移動が検出された際に、モード要求メッセージを送信することも好ましい。
【００１８】
本発明によれば、操作対象装置の種別に応じて異なるリモコンモードが設定されており、赤外線通信リンクを介して操作対象装置へ操作信号を送信することができる第１の遠隔操作装置及び第２の遠隔操作装置を有するシステムにおいて、
第１の遠隔操作装置は、
赤外線通信リンクを介して操作対象装置へ操作信号を送信することによって、当該操作対象装置を制御するリモコンモード制御手段と、
モード要求メッセージを受信した際に、リモコンモードを含むモード応答メッセージを、近距離無線通信リンクを介して第２の遠隔操作装置へ返信するモード応答送信手段と
を有し、
第２の遠隔操作装置は、
赤外線通信リンクを介して操作対象装置へ操作信号を送信することによって、当該操作対象装置を制御するリモコンモード制御手段と、
リモコンモードを問い合わせるモード要求メッセージを、近距離無線通信リンクを介して当該遠隔操作装置の周辺へ送信するモード要求メッセージ送信手段と、
受信したモード応答メッセージに含まれるリモコンモードを記憶するリモコンモード記憶手段と
を有することを特徴とする。
【００１９】
本発明のシステムにおける他の実施形態によれば、
少なくとも第２の遠隔操作装置は、携帯電話機であって、単位時間当たりの移動距離を導出する加速度センサを更に有し、
第２の遠隔操作装置のモード要求メッセージ送信手段は、加速度センサによって所定閾値以上の移動が検出された際に、モード要求メッセージを送信することも好ましい。
【００２０】
本発明によれば、操作対象装置の種別に応じて異なるリモコンモードが設定されており、赤外線通信リンクを介して操作対象装置へ操作信号を送信することができる遠隔操作装置において、
赤外線通信リンクを介して、操作対象装置へ、当該リモコンモードに応じた操作信号を送信するリモコンモード制御手段と、
近距離無線通信リンクを介して、リモコンモードを問い合わせるモード要求メッセージを、当該遠隔操作装置の周辺へ送信するモード要求メッセージ送信手段と、
モード要求メッセージを受信した際、近距離無線通信リンクを介して他方の遠隔操作装置へ、リモコンモードを含むモード応答メッセージを返信するモード応答メッセージ送信手段と、
受信したモード応答メッセージに含まれるリモコンモードを記憶するリモコンモード記憶手段と
を有することを特徴とする。
【００２１】
本発明の遠隔操作装置における他の実施形態によれば、
当該遠隔操作装置は、携帯電話機であって、単位時間当たりの移動距離を導出する加速度センサを更に有し、
モード要求メッセージ送信手段は、加速度センサによって所定閾値以上の移動が検出された際に、モード要求メッセージを送信することも好ましい。
【００２２】
本発明によれば、操作対象装置の種別に応じて異なるリモコンモードが設定されており、赤外線通信リンクを介して操作対象装置へ操作信号を送信することができる遠隔操作装置に搭載されたコンピュータを機能させるプログラムであって、
赤外線通信リンクを介して、操作対象装置へ、当該リモコンモードに応じた操作信号を送信するリモコンモード制御手段と、
近距離無線通信リンクを介して、リモコンモードを問い合わせるモード要求メッセージを、当該遠隔操作装置の周辺へ送信するモード要求メッセージ送信手段と、
モード要求メッセージを受信した際、近距離無線通信リンクを介して他方の遠隔操作装置へ、リモコンモードを含むモード応答メッセージを返信するモード応答メッセージ送信手段と、
受信したモード応答メッセージに含まれるリモコンモードを記憶するリモコンモード記憶手段と
してコンピュータを機能させることを特徴とする。
【００２３】
本発明のプログラムにおける他の実施形態によれば、
当該遠隔操作装置は、携帯電話機であって、単位時間当たりの移動距離を導出する加速度センサを更に有し、
モード要求メッセージ送信手段は、加速度センサによって所定閾値以上の移動が検出された際に、モード要求メッセージを送信する
ようにコンピュータを機能させることも好ましい。
【発明の効果】
【００２５】
本発明の遠隔操作方法、システム、遠隔操作装置及びプログラムによれば、遠隔操作装置が周辺装置から近距離無線通信リンクを介してリモコンモードを取得することによって、その場所で使用可能な操作対象装置のリモコンモードを設定することができる。
【図面の簡単な説明】
【００２６】
【図１】従来技術におけるシステム構成図である。
【図２】本発明における第１のシステム構成図である。
【図３】本発明におけるシーケンス図である。
【図４】本発明における遠隔操作装置の機能構成図である。
【図５】本発明における第２のシステム構成図である。
【図６】遠隔操作装置が互いに存在を通知するシーケンス図である。
【発明を実施するための形態】
【００２７】
以下、本発明の実施の形態について、図面を用いて詳細に説明する。
【００２８】
図２は、本発明における第１のシステム構成図である。
【００２９】
図２によれば、遠隔操作装置として携帯電話機Ａ及び携帯電話機Ｂが表され、操作対象装置としてＸ社製テレビ装置ａが表されている。尚、以下では、遠隔操作装置は、代表的な携帯電話機として説明するが、勿論、ＰＤＡ(Personal Digital Assistant)又は携帯端末であってもよい。また、操作対象装置も、テレビ装置以外の、ＡＶ機器や電化機器であってもよい。
【００３０】
携帯電話機は、一般に、赤外線通信規格ＩｒＤＡ(Infrared Data Association)準拠の赤外線発光部を有する。ＩｒＤＡの仕様は、一般のリモコン装置で使われている赤外線通信の仕様とは異なる。携帯電話機は、リモコン用アプリケーションを起動することによって、ＩｒＤＡ準拠の赤外線発光部に対してリモコン用の操作信号をエミュレートすることによって、リモコン装置として機能する。
【００３１】
赤外線通信機能を有するリモコン装置は、一般に、３２ビットの赤外線信号を送信する。３２ビットの赤外線信号は、製造元及び機器の識別を表す１６ビットのカスタムコードと、操作内容を表す１６ビットのデータコードからなる。
【００３２】
図２のシステムによれば、図１と同様に、携帯電話機Ｂは、赤外線（第１の無線リンク）を介して操作信号を送信し、Ｘ社製テレビ装置ａを操作している。赤外線信号は指向性があるので、その携帯電話機の赤外線出力ポートを、テレビ装置ａへ向けることによって、赤外線操作信号を送信することができる。
【００３３】
ここで、携帯電話機Ｂは、テレビ装置ａの視聴可能範囲に存在し、テレビ装置ａを操作している。また、携帯電話機Ｂは、その周辺に存在する操作対象装置に基づく１つ以上のリモコンモードを記憶している。そのリモコンモードに基づいて、赤外線操作信号の仕様技術は異なる。図２によれば、「Ｘ社」製の「テレビ装置」に対するリモコンモードは「モード３」である。このとき、携帯電話機Ｂは、「モード３」の仕様技術の赤外線操作信号を、テレビ装置ａへ向けて送信する。
【００３４】
また、携帯電話機Ａも、テレビ装置ａの視聴可能範囲に存在しているとする。携帯電話機Ａは、リモコン用アプリケーションを起動しており、その周辺に存在する機器へ、問い合わせ要求を送信する。その問い合わせ要求を受信した携帯電話機Ｂは、問い合わせ応答を携帯電話機Ａへ返信する。これにより、携帯電話機Ａと携帯電話機Ｂとの間で、近距離無線リンク（第２の無線リンク）が確立される。近距離無線リンクは、Bluetoothであってもよいし、例えばＷｉ−Ｆｉ(Wireless Fidelity)のような無線ＬＡＮ(Local Area network)であってもよい。指向性がない近距離無線リンクは、その携帯電話機の向きに影響を受けることなく、相互に通信することができる。
【００３５】
近距離無線リンクを確立した後、携帯電話機Ａは、携帯電話機Ｂへ、リモコンモードを問い合わせる「モード要求メッセージ」を送信する。これに対し、携帯電話機Ｂは、リモコンモードを含む「モード応答メッセージ」を携帯電話機Ａへ送信する。ここでのリモコンモードは、携帯電話機Ｂの周辺に存在する１つ以上の操作対象装置に基づくモードである。例えば、図２によれば、携帯電話機Ｂは、その周辺に存在する、５つの操作対象装置の５つのリモコンモードを記憶している。携帯電話機Ｂは、これらリモコンモードを、携帯電話機Ａへ送信する。これによって、携帯電話機Ａは、その周辺に存在する操作対象装置のリモコンモードを取得することができる。リモコンモードは、具体的には、メーカ、操作対象装置(target)及びモード(mode)からなる。
【００３６】
尚、携帯電話機Ｂがテレビ装置ａを操作可能な範囲は、携帯電話機Ｂを所持するユーザがテレビ装置ａを視聴可能な範囲と一致するものとする。また、携帯電話機Ｂと携帯電話機Ａとが近距離無線リンクを介して通信可能である場合、携帯電話機Ａも、テレビ装置ａを操作可能範囲に位置するものとする。即ち、携帯電話機Ａを所持するユーザも、テレビ装置ａを視聴可能であるとする。
【００３７】
携帯電話機１は、加速度センサを更に搭載する。加速度センサは、単位時間当たりの移動距離を導出することによって加速度を計測する。加速度センサは、歩数計や携帯電話機に搭載されているものも多い。携帯電話機に搭載された加速度センサは、例えば、移動距離の決定や、ディスプレイの上下方向の決定にも用いられる。３軸タイプの加速度センサは、１軸を地球の重力方向に合わせることによって、その重力方向に対する角度や移動距離を検出することができる。
【００３８】
携帯電話機に搭載される半導体型の加速度センサは、ピエゾ抵抗型のものが多い。この加速度センサは、中央の重りが、円環状に薄い表面のダイヤフラムに支えられる。ダイヤフラムの位置変化は、ピエゾ抵抗素子によって検出される。その抵抗値の変化は、加速度センサから、例えば直流電圧又は周波数の変化として出力される。
【００３９】
携帯電話機Ａは、加速度センサによって所定閾値以上の移動距離を検出した場合、自らが移動したと検出する。このとき、携帯電話機Ａは、その周辺に存在する機器へ、問い合わせ要求を送信することができる。具体的には、携帯電話機Ｂを所持するユーザＢが居る部屋に、携帯電話機Ａを所持したユーザＡが入ってきた場合、携帯電話機Ａは所定閾値以上の移動距離を検出し、問い合わせ要求を自ら送信することができる。これによって、携帯電話機Ａは、携帯電話機Ｂとの間で近距離無線リンクを確立し、リモコンモードを取得することができる。
【００４０】
図３は、本発明におけるシーケンス図である。
【００４１】
（Ｓ３１）携帯電話機Ｂは、リモコン用アプリケーションを起動しており、その周辺に存在する操作対象装置のリモコンモードを記憶している。ここで、携帯電話機Ｂは、ユーザＢの操作に応じて、赤外線操作信号を送信し、Ｘ社製テレビ装置ａを操作している。この赤外線操作信号は、Ｘ社製のテレビ装置ａに基づく「モード３」の仕様技術に対応する。
【００４２】
（Ｓ３２）携帯電話機Ａも、リモコン用アプリケーションを起動しており、当初、携帯電話機Ｂの周辺に位置していない。その後、携帯電話機Ａを所持したユーザＡが、携帯電話機Ｂの周辺へ移動してきたとする。このとき、携帯電話機Ａは、加速度センサによって、自らの移動を検出する。
【００４３】
（Ｓ３３）携帯電話機Ａは、近距離無線リンクを介して、その周辺に問い合わせ要求を送信する。携帯電話機Ａの周辺に存在する携帯電話機Ｂは、問い合わせ要求を受信する。これにより、携帯電話機Ａと携帯電話機Ｂとの間で、近距離無線リンクを確立するためのシーケンスが実行される。
【００４４】
（Ｓ３４）携帯電話機Ａは、近距離無線リンクを介して携帯電話機Ｂへ「モード要求メッセージ」を送信する。
【００４５】
（Ｓ３５）これに対し、携帯電話機Ｂは、「モード応答メッセージ」を携帯電話機Ａへ返信する。モード応答メッセージは、携帯電話機Ｂの周辺に存在する操作対象装置のリモコンモード（例えば、message=receive+TV+3）を含む。携帯電話機Ａは、モード応答メッセージに含まれるリモコンモードを記憶する。
【００４６】
（Ｓ３６）ユーザＡが、携帯電話機Ａのリモコン用アプリケーションに対して、テレビ装置ａの操作を選択した場合、赤外線が「モード３」の仕様技術に設定される。これによって、ユーザＡ自身が、携帯電話機Ａに対してリモコンモードを設定することなく、赤外線操作信号によってテレビ装置ａを操作することができる。
【００４７】
図４は、本発明における遠隔操作装置の機能構成図である。
【００４８】
図４によれば、遠隔操作装置１は、ハードウェアとして少なくとも、入力インタフェース部１０１と、赤外線出力ポート１０２と、近距離無線通信部１０３と、加速度センサ１０４とを有する。
【００４９】
入力インタフェース部１０１は、操作対象装置２に対する操作内容をユーザが入力すべきキーボードや、ユーザが操作可能な内容を表示すべきディスプレイである。
【００５０】
赤外線出力ポート１０２は、操作信号を、指向性のある赤外線によって、操作対象装置２へ送信する。赤外線出力ポート１０２は、例えばＩｒＤＡ準拠のものである。
【００５１】
近距離無線通信部１０３は、Bluetooth又は無線ＬＡＮのような近距離無線リンクを確立する。指向性がない近距離無線リンクは、その遠隔操作装置の向きに影響を受けることなく、他の遠隔操作装置と通信することができる。
【００５２】
加速度センサ１０４は、単位時間当たりの移動距離を検出する。
【００５３】
また、図４によれば、遠隔操作装置１は、操作信号送信部１１１と、リモコンモード制御部１１２と、モード要求メッセージ送信部１１３と、モード応答メッセージ受信部１１４と、リモコンモード記憶部１１５と、移動検出部１１６と、モード要求メッセージ受信部１１７と、モード応答メッセージ送信部１１８とを有する。これら機能部は、遠隔操作装置に搭載されたコンピュータを機能させるプログラムを実行することによって実現される。
【００５４】
操作信号送信部１１１は、ユーザによって操作された操作内容を、入力インタフェース部１０１から取得する。そして、操作信号送信部１１１は、その操作内容を、操作対象装置へ送信すべき操作信号に構成する。その操作信号は、リモコンモード制御部１１２へ出力される。
【００５５】
リモコンモード制御部１１２は、操作信号送信部１１１から入力した操作信号を、ＩｒＤＡ準拠の赤外線にエミュレートする。このとき、リモコンモードに応じて、赤外線操作信号を制御する。具体的には、ユーザＡが、Ｘ社製のテレビ装置ａを操作しようとした場合、リモコンモード制御部１１２は、「モード３」の仕様技術の赤外線操作信号に制御する。そして、リモコンモード制御部１１２は、その赤外線操作信号を、赤外線出力ポート１０２へ出力する。
【００５６】
移動検出部１１６は、加速度センサ１０４から入力された移動距離が所定閾値以上である場合、その遠隔操作装置自らが移動したと検出する。このとき、移動検出部１１６は、この検出結果を、モード要求メッセージ送信部１１３へ出力する。
【００５７】
モード要求メッセージ送信部１１３は、近距離無線通信部１０３を介して、相手側携帯電話機へ、「モード要求メッセージ」を送信する。モード要求メッセージの送信動作は、移動検出部１１６の検出結果に応じて、又は、ユーザの操作に応じて実行される。
【００５８】
モード応答メッセージ受信部１１４は、近距離無線通信部１０３を介して、リモコンモードを含む「モード応答メッセージを受信する。モード応答メッセージ受信部１１４は、リモコンモードを、リモコンモード記憶部１１５へ出力する。
【００５９】
リモコンモード記憶部１１５は、モード応答メッセージ受信部１１４から入力したリモコンモードを記憶すると共に、そのリモコンモードを、リモコンモード制御部１１２へ出力する。
【００６０】
モード要求メッセージ受信部１１７は、近距離無線通信部１０３を介して、相手側携帯電話機から、「モード要求メッセージ」を受信する。モード要求メッセージ受信部１１７は、モード要求メッセージを、リモコンモード記憶部１１５へ出力する。
【００６１】
モード応答メッセージ送信部１１８は、近距離無線通信部１０３を介して、リモコンモード記憶部１１５に記憶されたリモコンモードを含む「モード応答メッセージ」を、相手側携帯電話機へ送信する。
【００６２】
図５は、本発明における第２のシステム構成図である。
【００６３】
図５は、図２と比較して、移動してきた携帯電話機１が、他の携帯電話機１ではなく、操作対象装置２又はセットトップボックス３から、リモコンモードを取得する点について相違する。
【００６４】
図５（ａ）によれば、携帯電話機１は、テレビ装置ａとの間で、近距離無線リンクを確立し、リモコンモードを受信する。この場合、テレビ装置ａは、図４に記載された遠隔操作装置の機能構成を有する。
【００６５】
図５（ｂ）によれば、携帯電話機１は、セットトップボックス３との間で、近距離無線リンクを確立し、リモコンモードを受信する。この場合、セットトップボックス３も、図４に記載された遠隔操作装置の機能構成を有する。セットトップボックス３は、リモコンモードを記憶するハードディスクのような記憶部と、モード要求メッセージ及びモード応答メッセージを処理するためのプロセッサとを有する。
【００６６】
また、図５（ｂ）によれば、携帯電話機Ｂは、セットトップボックス３へ、リモコンモードの登録のためのメッセージ(message=register+TV+3)を送信している。セットトップボックス３は、このメッセージに含まれるリモコンモードを記憶する。そして、セットトップボックス３は、モード要求メッセージを送信してきた遠隔操作装置へ、そのリモコンモードを含むモード応答メッセージを返信する。
【００６７】
遠隔操作装置としての携帯電話機１と、セットトップボックス３とは、近距離無線リンクを介して接続されるものであってもよい。近距離無線リンクは、Bluetoothであってもよいし、例えばＷｉ−Ｆｉ(Wireless Fidelity)のような無線ＬＡＮ(Local Area Network)であってもよい。また、セットトップボックス３が、フェムトセル用のアクセスポイントであり、携帯電話機１が、携帯電話用の無線リンクでセットトップボックス３に接続するものであってもよい。
【００６８】
図６は、遠隔操作装置が互いに存在を通知するシーケンス図である。
【００６９】
図６によれば、遠隔操作装置（携帯電話機）１は、Bluetoothに基づくプロトコル構成を有する。勿論、操作対象装置（テレビ装置）２及びセットトップボックス（アクセスポイント）３も、遠隔操作装置１と通信するために、同様のプロトコル構成を有するものであってもよい。そのプロトコルの中で、ＬＭＰ(Link Management Protocol)は、無線リンクにおける接続確立、接続制御及びセキュリティを実現する。ＬＭＰの接続確立では、Bluetoothにおける問い合わせ(Inquiry)状態及び呼び出し(Page)状態を実行する。
【００７０】
（Ｓ６１）携帯電話機Ａ及びＢは、リモコン用アプリケーションを予め起動している。携帯電話機Ｂは、赤外線操作信号によってテレビ装置ａを操作しており、テレビ装置ａのリモコンモードを記憶している。そこで、携帯電話機Ａが、携帯電話機Ｂの周辺へ移動してきたとする。このとき、携帯電話機Ａと携帯電話機Ｂとの間で、互いにBluetoothに基づくリンクを確立する。
（Ｓ６２）携帯電話機Ａは、問い合わせ要求(Inquiry)メッセージを、Bluetoothの無線リンクへブロードキャストする。Bluetoothの電波を受信可能な範囲に存在する携帯電話機Ｂは、この問い合わせ要求(Inquiry)メッセージを受信する。これに対し、携帯電話機Ｂは、ＦＨＳ応答メッセージを返信する。ＦＨＳパケットには、Bluetoothのクラス、装置ＩＤ（識別子）、クロック等の情報が含まれる。これによって、携帯電話機Ａは、携帯電話機Ｂの存在を検出する。
（Ｓ６３）携帯電話機Ａは、呼び出し(Page)要求メッセージを携帯電話機Ｂへ送信する。これに対し、携帯電話機Ｂは、受信応答メッセージを、携帯電話機Ａへ返信する。
（Ｓ６４）次に、携帯電話機Ａは、ＦＨＳ要求メッセージを携帯電話機Ｂへ送信する。ＦＨＳパケットには、Bluetoothのクラス、装置ＩＤ（識別子）、クロック等の情報が含まれる。これによって、携帯電話機Ｂは、携帯電話機Ａの存在を検出することができる。そして、携帯電話機Ｂは、受信応答メッセージを、携帯電話機Ａへ返信する。これによって、携帯電話機Ａと携帯電話機Ｂとの間で、Bluetoothの無線リンクが確立する。
（Ｓ６５）携帯電話機Ａは、「モード要求メッセージ」を携帯電話機Ａへ送信する。
（Ｓ６６）これに対し、携帯電話機Ｂは、リモコンモードを含む「モード応答メッセージ」を返信する。
（Ｓ６７）直ぐに、携帯電話機Ａは、接続解除要求を携帯電話機Ｂへ送信する。これに対し、携帯電話機Ｂは、受信応答メッセージを、携帯電話機Ａへ返信する。
【００７１】
ここで、本発明によれば、Ｓ６７によって直ぐに、携帯電話機Ａと携帯電話機Ｂとの間で、接続解除要求が転送される。この理由として、Bluetoothは、通常、１対１通信に基づくものであって、処理負荷が大きくなる１対多通信の場合、動作が不安定となる傾向がある。そのために、本発明によれば、Bluetoothの無線リンクについて接続／解除を繰り返すことによって、複数の携帯電話機同士の間で接続できるようにしている。
【００７２】
携帯電話機Ａと携帯電話機Ｂとの間で送受信されるＦＨＳ要求メッセージのデータ構造は、Bluetoothの一般的なデータ構造である。Bluetoothの一般的なデータ構造は、アクセスコード部と、ヘッダ部と、ペイロード部とからなる。アクセスコード部は、プリアンブル等を含む。ヘッダ部は、Bluetoothアドレス、タイプコード（制御／音声／データ）、フロー制御、ＡＲＱＮ、シーケンス番号、チェックサムを含む。ペイロード部は、ここでは、ＦＨＳの内容を含む。ＦＨＳには、主に、Bluetoothのクラス、装置ＩＤ（デバイス識別子）、クロック等が含まれる。この装置ＩＤによって、一方の携帯電話機は、他方の携帯電話機を検出することができる。
【００７３】
以上、詳細に説明したように、本発明の遠隔操作方法、システム、遠隔操作装置及びプログラムによれば、遠隔操作装置は、近距離無線通信リンクを介して、自動的にリモコンモードを周辺装置から取得することができる。
【００７４】
従来技術によれば、１台のリモコン装置を所持したユーザは、部屋を移動する毎に、異なる操作対象装置（例えばメーカの異なるテレビ装置）に対して、リモコン装置のモードを変更しなければならない。これに対し、本発明によれば、携帯電話機を所持したユーザが、部屋を移動しても、その部屋で操作可能な操作対象装置のリモコンモードを、自動的に取得することができるので、ユーザ自身が、リモコンモードを設定する必要がない。
【００７５】
ここで、携帯電話機同士の間で、その部屋で操作可能なリモコンモードを送受信することによって、リモコンモードを配信するための特別なアクセスポイントを備える必要がない。一方で、各部屋に配置されるセットトップボックス（アクセスポイント）に、リモコンモードを配信する機能を搭載することも好ましい。
【００７６】
前述した本発明の種々の実施形態において、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００７７】
１  遠隔操作装置
１０１  入力インタフェース部
１０２  赤外線出力ポート
１０３  近距離無線通信部
１０４  加速度センサ
１１１  操作信号送信部
１１２  リモコンモード制御部
１１３  モード要求メッセージ送信部
１１４  モード応答メッセージ受信部
１１５  リモコンモード記憶部
１１６  移動検出部
１１７  モード要求メッセージ受信部
１１８  モード応答メッセージ送信部
２  操作対象装置
３  セットトップボックス
４  リモコン装置
【図１】
0005327805.tif 000002
【図２】
0005327805.tif 000003
【図３】
0005327805.tif 000004
【図４】
0005327805.tif 000005
【図５】
0005327805.tif 000006
【図６】
0005327805.tif 000007